(57)【要約】【課題】従来ユーザ（デバイス管理者）が各自設定していたデバイスマップが一人のユーザ、またはサービスマンの作業となり、ユーザ（デバイス管理者）の負荷を軽減させ、また、タッチパネルからデバイスの位置を入力することにより、設定時間の軽減、従来に比べて正確なデバイスマップの作成が可能になる。【解決手段】デバイスと、前記デバイスとネットワークを介してデバイスの管理を行なうためのデバイス管理手段を有した処理装置を含むデバイスマップ作成システムであって、デバイスは、指が触れた位置を検知して画面上の位置を指定し、処理装置に指示を与える接触位置検出手段と、前記接触位置検出手段から得た位置情報と前記デバイスの情報をファイルへ埋め込むためのデバイスマップファイル作成手段１と、前記接触位置検出手段から得た位置情報と前記デバイス以外のデバイスの情報をファイルへ埋め込むためのデバイスマップファイル作成手段２を有することを特徴とするデバイスマップ作成システム。【選択図】        図１
2007052535.tif 000002
【特許請求の範囲】
【請求項１】
デバイスと、前記デバイスとネットワークを介してデバイスの管理を行なうためのデバイス管理手段を有した処理装置を含むデバイスマップ作成システムであって、
デバイスは、
指が触れた位置を検知して画面上の位置を指定し、処理装置に指示を与える接触位置検出手段と、前記接触位置検出手段から得た位置情報と前記デバイスの情報をファイルへ埋め込むためのデバイスマップファイル作成手段１と、前記接触位置検出手段から得た位置情報と前記デバイス以外のデバイスの情報をファイルへ埋め込むためのデバイスマップファイル作成手段２を有することを特徴とするデバイスマップ作成システム。
【請求項２】
前記ネットワークを介して前記処理装置とデータの送受信を行なうためのデータ通信手段を有することを特徴とする請求項１に記載のデバイスマップ作成システム。
【請求項３】
前記データ通信手段により取得したデータを前記デバイスの表示部に表示する表示手段を有することを特徴とする請求項２に記載のデバイスマップ作成システム。
【発明の詳細な説明】
【技術分野】
【０００１】
本発明は所定のネットワークを介して所定の画像処理を行ない、位置情報の登録処理を行なうデバイスと該デバイスに対する画像処理要求を行なうデータ処理装置に係るデバイスマップ作成システムに関するものである。
【背景技術】
【０００２】
従来、デバイスの位置情報はユーザからの要求に基づき管理されているデバイスの情報と記憶されている位置情報からＨＴＴＰサーバがＨＴＭＬ形式に従うテーブルデータを生成し、ユーザに表示していた。
【特許文献１】特開２００２−１４９５１４号公報
【発明の開示】
【発明が解決しようとする課題】
【０００３】
デバイスの物理的な配置を表すマップに、新たにデバイスを登録する場合、従来はユーザがパソコン上でブラウザや専用アプリケーションによって行っていた。しかし、この作業はユーザのパソコン上で行なうため、どのデバイスの位置を特定しているかがわかりにくく、また専用アプリケーションによって作成されたデバイス探索リストからマップに挿入するデバイスの選択誤りも引き起こしやすかった。そのため、マップ上にデバイスを登録するという作業は非常に時間がかかる作業であった。本発明はこの課題を解決すると共に、ユーザの負荷を軽減することによって無駄をなくすことを目的としている。
【課題を解決するための手段】
【０００４】
上記目的を達成するために、請求項１記載のデバイスマップ作成システムは、デバイスと、前記デバイスとネットワークを介してデバイスの管理を行なうためのデバイス管理手段と、指が触れた位置を検知して画面上の位置を指定し、処理装置に指示を与える接触位置検出手段と、前記接触位置検出手段から得た位置情報と前記デバイスの情報をファイルへ埋め込むためのデバイスマップファイル作成手段１と、前記接触位置検出手段から得た位置情報と前記デバイス以外のデバイスの情報をファイルへ埋め込むためのデバイスマップファイル作成手段２と、前記ネットワークを介して前記処理装置とデータの送受信を行なうためのデータ通信手段を備えることを特徴とする。前記データ通信手段により取得したデータを前記デバイスの表示部に表示する表示手段を有することを特徴とする請求項２に記載のデバイスマップ作成システム。
【発明の効果】
【０００５】
本発明により、従来ユーザ（デバイス管理者）が各自設定していたデバイスマップが一人のユーザ、またはサービスマンの作業となり、ユーザ（デバイス管理者）の負荷を軽減させる。また、タッチパネルからデバイスの位置を入力することにより、設定時間の軽減、従来に比べて正確なデバイスマップの作成が可能になる。
【発明を実施するための最良の形態】
【０００６】
以下本発明を実施するための最良の形態を、実施例により詳しく説明する。
【実施例１】
【０００７】
図１は本発明の実施の形態に係るシステムの全体構成例を表す。以下、１０１、１０２、１０３は画像形成装置としてのデバイスとし、１０４、１０５はデータ処理、デバイス管理ソフトを有した処理装置とし、１０６はＬＡＮ（Ｌｏｃａｌ  Ａｒｅａ  Ｎｅｔｗｏｒｋ）で構成される。このように構成されたシステムの動作で本実施例を示唆する。
【０００８】
図２はデバイス１０１、１０２、１０３のハードウェア構成図である。本図では、画像形成装置の一例として複合機の構成を示している。
【０００９】
原稿給送部２０１、原稿を読み込むイメージリーダ２０２、読み込んだ原稿および受信したデータを印刷画像に変換・印刷する画像形成部２０３、印刷した紙を排出し、ソートやステイプルといった処理を施す排紙部２０４、ネットワーク経由でＬＡＮおよびインターネットに接続し、外部と情報交換を行うＮｅｔｗｏｒｋＩ／Ｆ２０５、本装置上の各処理を司るＣＰＵ２０６、本装置の各処理に関わるプログラムやデータを記憶する書換え不可能なＲＯＭ２０７、本装置の各処理に関わる一時的なデータを電気的に記憶できかつ書き換え可能なＲＡＭ２０８、本装置の各処理に関わるプログラムやデータ、および一時的なデータ、本装置へ送信されてきたユーザデータなどを記憶する読み書き可能なＨＤＤ２０９、本装置への指示入力を受け付ける操作部２１０、本装置の動作状況および操作部２１０に対する操作に関わる情報を表示する表示部（図２の２１１）で構成され、それらがシステムバス２１２により結び付き、データをやりとりしている。なお表示部２１１はタッチパネル機能を有したものである。
【００１０】
図３はデバイスマップを作成する動作を示したフローチャートである。まずＳ３０１においてデバイスを設置する居室、実験室といった部屋のレイアウトがデータとして存在するのかどうかを確認する。その結果、レイアウトのデータがないのならば、Ｓ３０８においてデバイス管理アプリケーションソフトを使用し、レイアウトの作成を行なう。
【００１１】
Ｓ３０１の結果、レイアウトが存在するならばＳ３０２において、そのレイアウトが電子データなのか、紙面データなのかを確認する。Ｓ３０２の結果、レイアウトが電子データならばＳ３０３においてレイアウトデータを持っている処理装置からデータをＴＣＰ／ＩＰ、ＵＤＰなどの通信手段により取得する。デバイスはＳ３０４において、取得したレイアウトデータをデバイスのＵＩ、またはＭＥＡＰ上に表示する（図５参照）。以下、デバイスのＵＩ・ＭＥＡＰ上に表示されたレイアウトデータをデバイスマップと呼ぶ。Ｓ３０５においてデバイスのＵＩ、ＭＥＡＰ上に表示されたレイアウトから該デバイスの場所を画面にタッチすることにより位置情報、デバイス情報（ＩＰアドレス、ＭＡＣアドレス、機種名・・・）をデバイスマップへ登録する（図６参照）。Ｓ３０６においてデバイスによって作成されたデバイスマップをデバイス管理アプリケーションを備えた処理装置へＴＣＰ／ＩＰ、ＵＤＰなどの通信手段により送信する。Ｓ３０７において、ユーザはデバイス管理アプリケーションソフトによってブラウザ上から管理したいデバイスを選択し、登録する。
【００１２】
Ｓ３０８においてデバイス管理アプリケーションソフトを用いてレイアウトを作成後、作成したレイアウトデータをデバイスへＴＣＰ／ＩＰ、ＵＤＰなどの通信手段により送信する。その後の処理動作はＳ３０３から前記と同様に行なう。
【００１３】
また、Ｓ３０２においてレイアウトが電子データでなくて、紙面データであった場合、Ｓ３０９において該デバイスに紙面データをスキャンさせデータとして該デバイスへ持たせる。その後の処理動作はＳ３０４から前記と同様に行なう。
【実施例２】
【００１４】
図４は設置されるデバイスから、それ以外のデバイスのデバイスマップへの登録処理を表したフローチャートである。まずＳ４０１においてデバイスを設置する居室、実験室といった部屋のレイアウトがデータとして存在するのかどうかを確認する。その結果、レイアウトのデータがないのならば、Ｓ４０８においてデバイス管理アプリケーションソフトを使用し、レイアウトの作成を行なう。
【００１５】
Ｓ４０１の結果、レイアウトが存在するならばＳ４０２において、そのレイアウトが電子データなのか、紙面データなのかを確認する。Ｓ４０２の結果、レイアウトが電子データならばＳ４０３においてレイアウトデータを持っている処理装置からデータをＴＣＰ／ＩＰ、ＵＤＰなどの通信手段により取得する。デバイスはＳ４０４において、取得したレイアウトデータをデバイスのＵＩ、またはＭＥＡＰ上に表示する（図５参照）。以下、デバイスのＵＩ・ＭＥＡＰ上に表示されたレイアウトデータをデバイスマップと呼ぶ。Ｓ４０５において設置されたデバイスのＵＩ、ＭＥＡＰ上から、他のデバイスの情報（ＩＰアドレス、ＭＡＣアドレス、機種名・・・）を入力する。Ｓ４０６においてデバイスのＵＩ、ＭＥＡＰ上に表示されたレイアウトから登録したい他のデバイスの場所を画面にタッチすることにより位置情報、デバイス情報（ＩＰアドレス、ＭＡＣアドレス、機種名・・・）をデバイスマップへ登録する（図６参照）。Ｓ４０７においてデバイスによって作成されたデバイスマップをデバイス管理アプリケーションを備えた処理装置へＴＣＰ／ＩＰ、ＵＤＰなどの通信手段により送信する。Ｓ４０８において、ユーザはデバイス管理アプリケーションソフトによってブラウザ上から管理したいデバイスを選択し、登録する。
【００１６】
Ｓ４０８においてデバイス管理アプリケーションソフトを用いてレイアウトを作成後、作成したレイアウトデータをデバイスへＴＣＰ／ＩＰ、ＵＤＰなどの通信手段により送信する。その後の処理動作はＳ４０３から前記と同様に行なう。
【００１７】
また、Ｓ４０２においてレイアウトが電子データでなくて、紙面データであった場合、該デバイスに紙面データをスキャンさせデータとして該デバイスへ持たせる。その後の処理動作はＳ４０４から前記と同様に行なう。
【図面の簡単な説明】
【００１８】
【図１】本発明の実施の形態に係るシステムの全体構成例を表す図である。
【図２】デバイス１０１、１０２、１０３のハードウェア構成図である。
【図３】デバイスマップ作成処理の動作を表すフローチャートである。
【図４】設置されるデバイスから他のデバイスをデバイスマップに登録する処理を表すフローチャートである。
【図５】デバイスＵＩ・ＭＥＡＰ上に表示されるレイアウトの一例を表す図である。
【図６】デバイスＵＩ・ＭＥＡＰ上に表示されたレイアウトから、デバイスをデバイスマップに登録する登録設定画面を表す図である。
【符号の説明】
【００１９】
１０１  デバイス
１０２  デバイス
１０３  デバイス
１０４  処理装置
１０５  処理装置
１０６  ＬＡＮ
【図１】
2007052535.tif 000003
【図２】
2007052535.tif 000004
【図３】
2007052535.tif 000005
【図４】
2007052535.tif 000006
【図５】
2007052535.tif 000007
【図６】
2007052535.tif 000008